(57)【要約】      （修正有）【課題】紙片にミシン目を入れ、折り畳み方で、綴じ糸や接着剤や綴じ釘やハサミやカッターなどを用いる必要もなく８葉の小冊子ペーパーブックを提供する。【解決手段】四角な紙片の中央部に、縦又は横の辺の２分の１の長さに直線のミシン目１を設け、該ミシン目１に沿って紙片全体を２つ重ねに折り畳んだ後、更にその選択辺が４等分される位置に、それぞれ折り目イ２、折り目ロ３、折り目ハ４、をつけると共に、折り目ロ３，３は小冊子の小口に、折り目イ２並びに折り目ハ４は、小冊子ののどになるように、紙片の８分の１の大きさに折り畳んで形成する。ミシン目を設けることで印刷が簡単に出来る。【選択図】図１
0003178942.tif 000002
【実用新案登録請求の範囲】
【請求項１】
四角形状の紙片を折り畳んで形成する小冊子において、紙片の中央部に、縦若しくは横の辺の前記小冊子の小口からのどまでの長さの２倍に相当する長さに直線のミシン目１を設け、該ミシン目１に沿って紙片全体を２つ重ねに折り畳んだ後、更にその小冊子の天となる部分の選択辺が４等分される位置に、それぞれ折り目イ２，２、折り目ロ３，３、折り目ハ４，４、をつけると共に、折り目ロ３，３は小冊子ペーパーブックの小口になるように、折り目イ２，２並びに折り目ハ４，４は、小冊子ペーパーブックののどになるように、紙片の小冊子の頁面となる部分について８分の１の大きさに折り畳んで形成したことを特徴とする小冊子ペーパーブック。
【請求項２】
前記直線のミシン目１の長さは、縦若しくは横の辺の２分の１の長さに設けたことを特徴とする請求項１記載の小冊子。
【請求項３】
四角形状の紙片の片面又は両面に印刷した請求項１又は２記載の小冊子。
【考案の詳細な説明】
【技術分野】
【０００１】本考案は８葉の表裏が利用できる名刺、パンフレットなどに係るものであり、詳しくはコンパクトでありながら、８葉の表裏１６面に印刷や書き込みが可能で、携帯に便利な小冊子ペーパーブックに関するものである。
【背景技術】
【０００２】特開平９−２９０５８１の小冊子にあっては、四角な紙片の中央部に、縦又は横の辺の２分の１の長さに直線の切り込みを設け、切込みに沿って紙片全体を２つ重ねに折りたたむ。更にその選択片が４等分される位置に折り目を入れ小冊子の小口、のどとなるように、紙片の８分の１の大きさに折りたたんで形成する。
【先行技術文献】
【特許文献】
【０００３】
【特許文献１】特開平９−２９０５８１
【考案の概要】
【考案が解決しようとする課題】
【０００４】背景技術で述べたように、小冊子にするためには、直線の切込みを入れなくてはならないので一枚の紙片で名刺、カタログなど受け取った人は、道具がないと小冊子が作れなかった。又、切込みを入れた後印刷することが大変困難であった。本考案は、背景技術の有するこのような問題点に鑑みてなされたものでありその目的とするところは、紙片にミシン目を入れ、折り畳み方で、綴じ糸や接着剤や綴じ釘やハサミやカッターなどを用いる必要もなく８葉の小冊子ペーパーブックを形成させて、コンパクトでポケットなどに容易に入れる事が出来る。携帯に便利で印刷ズレ、印刷で紙片が破れることなく、片面、両面の紙面に印刷ができる経済効果も大きい小冊子ペーパーブックを提供しようとするものである。
【課題を解決するための手段】
【０００５】上記目的を達成するために、本考案における小冊子ペーパーブックは次のような構成としている。
四角形状の紙片を折り畳んで形成する小冊子において、紙片の中央部に、縦若しくは横の辺の前記小冊子の小口からのどまでの長さの２倍に相当する長さに直線のミシン目１を設け、該ミシン目１に沿って紙片全体を２つ重ねに折り畳んだ後、更にその小冊子の天となる部分の選択辺が４等分される位置に、それぞれ折り目イ２，２、折り目ロ３，３、折り目ハ４，４、をつけると共に、折り目ロ３，３は小冊子ペーパーブックの小口になるように、折り目イ２，２並びに折り目ハ４，４は、小冊子ペーパーブックののどになるように、紙片の小冊子の頁面となる部分について８分の１の大きさに折り畳んで形成したことを特徴とする小冊子ペーパーブック。
前記直線のミシン目１の長さは、縦若しくは横の辺の２分の１の長さに設けたことを特徴とする小冊子。
四角形状の紙片において、片面、両面の紙面に印刷ができる小冊子ペーパーブック。
【考案の効果】
【０００６】本考案は、上述のとおり構成されているので、次に記載する効果を奏する。紙片の一筋のミシン目より切り開き折り畳むだけで、コンパクトでありながら、８葉の紙面を有する小冊子ペーパーブックとなるので、この８葉の頁を開いて利用できる他、裏全紙面を開き広げると、さらに８葉分の紙面が利用でき、印刷ができる便利な小冊子ペーパーブックを提供できる。
Ａ．本考案をパンフレット、カタログ、チラシに用いると、観光地のガイドなど表紙面８葉に日本語のガイド、裏紙面の８葉に英語などの外国語ガイドを印刷、同じ内容の情報であっても表紙面と裏紙面でちがった使い方ができ、受け取った人はミシン目より切り開き小冊子ペーパーブックにすることができる。
Ｂ．本考案を名刺、チラシに用いると、店舗あるいは商品や地図の情報を紙片全体に、裏紙面の８葉には、販売商品の写真、図面紹介並びに価格表示、又観光地のお店案内やお店のクーポン券、ポイントカード、スタンプラリー等々、多様な情報を一体化した紙面で提供でき、受け取った人はポケットに入れて持ち帰ることができ捨てる率を少なくすることができる。しかもコンパクトでありながら、記載情報量は従来量より格段に増大させることができるのでその経済効果は著しく大きい。
Ｃ．本考案をミニ本に実施すると、紙片に説明書、問題集、絵本等々、紙面全体に印刷してすぐに渡せ、受け取った人は、その場で簡単にコンパクトな小冊子ペーパーブックを作ることができ、無駄を省き省エネ効果となる。また作る楽しみ等々一段と利用価値を高める事ができる。
Ｄ．本考案は上記の実施対象物のほか、コンパクトなサイズの紙片が用いられるもののすべてに適用できる。
【図面の簡単な説明】
【０００７】
【図１】図１は、本考案に係る実施例で、開き広げた折りたたむ前の展開図で有る。
【図２】図２は、本考案に係る斜視図である。
【図３】図３は、本考案の他の形態例を示す展開図である。
【考案を実施するための形態】
【０００８】本小冊子ペーパーブックは、紙片の８分の１の大きさに、折り目ロ３，３は小冊子の小口に、折り目イ２，２と折り目ハ４，４は小冊子ペーパーブックののどとなって折り畳まれている。従って、この折り畳んだ１面から８面までの８葉の頁を開いて、それに印刷や書き込みなどの利用ができる。またこれを開き広げて一枚の紙片にすると、前記の８葉の裏面への印刷や書き込みなどの利用ができる。つまり、本小冊子ペーパーブックでは、折り畳んだ状態で８面の、開き広げた状態で８面の併せて１６面の利用が可能なものである。依って、これをパンフレット、カタログ、名刺、チラシ、ミニ本等々コンパクトなサイズで紙面を多く必要とされるもののすべてに、かつ諸々の用途に活用することができるものである。
【実施例】
【０００９】本考案の実施例について図面を参照に説明する。図１〜２に示す実施例は、請求項１に係るもので、本考案の基本をなすものである。図１では、紙片の中央部に、その横辺の２分の１の長さの直線のミシン目１を入れ、そのミシン目１に沿って紙片全体を２つ折りにして畳み重ねた後、前記の辺が４等分される位置に、それぞれ折り目イ２，２、折り目ロ３，３折り目４，４をつけたもので、本考案をわかりやすくするため、これを開き広げた折り畳む前の展開図である。これを小冊子ペーパーブックに折り畳むには、折り目ロ３，３をミシン目よりそれぞれ外方左右に引き出して小口になるように折り畳み、かつ折り目イ２，２、及び折り目ハ４，４はのどになるように折り畳むと、図２に示す斜視図のように折り畳まれる。本小冊子ペーパーブックでは、このように折り畳むだけで８葉の小冊子ペーパーブックが形成されるものである。しかもこれを用いると、ページを開いて小冊子ペーパーブックの８面を利用できるほか、この小冊子ペーパーブックを広げると、紙片全体を１枚の紙面として裏全紙面の８面が利用できるという、甚だ利用価値の大きい特徴を有している。本考案が係る特性を有するのは、小冊子ペーパーブックを形成するのに、綴じ糸や接着剤や綴じ釘やハサミ、カッターなどを使用せず、１本のミシン目と、独特の折り畳み方によって形成されるものである。本考案における実施対象物としては、パンフレット、カタログ、名刺、チラシ、ミニ本等々の他、上記以外のコンパクトなサイズの紙片が用いられるもののすべてに適用されるものである。【００１０】本考案をパンフレット、カタログ、観光地のガイドなど表紙面８葉に日本語のガイド、裏紙面の８葉に英語などの外国語ガイドを印刷、同じ内容の情報であっても表紙面と裏紙面でちがった使い方ができ、受け取った人はミシン目より切り開き小冊子ペーパーブックにすることができる。【００１１】名刺、チラシに実施すると、店舗あるいは商品や地図の情報を紙片全体に、裏紙面の８葉には、販売商品の写真、図面紹介並びに価格表示、又観光地のお店案内やお店のクーポン券、ポイントカード、スタンプラリー等々、多様な情報をパンフレット、カタログ、チラシと一体化した紙面で提供でき、パンフレット、カタログ、チラシを受け取った人はその場でミシン目より切り開き折り畳んでポケットに入るコンパクトなサイズに作成でき、ポケットやカバンに入れて持ち帰ることが容易なことから捨てる率を少なくすることができる。しかもコンパクトでありながら、記載情報量は従来量より格段に増大させることができるのでその経済効果は著しく大きい。【００１２】請求項３に関する実施例では、ミシン目の入った白紙又は印刷された紙片の８葉の表裏を又、１枚の紙片としても印刷できる。これをミニ本に実施すると、紙片に説明書、問題集、絵本等々、紙面全体に印刷してすぐに渡せ、受け取った人は、その場で簡単にコンパクトな小冊子ペーパーブックを作ることができ、無駄を省き省エネ効果となる。また作る楽しみ等々一段と利用価値を高める事ができる。
【符号の説明】
【００１３】１  は  ミシン目
２  は  折り目イ
３  は  折り目ロ
４  は  折り目ハ
【図１】
0003178942.tif 000003
【図２】
0003178942.tif 000004
【図３】
0003178942.tif 000005